(57)【特許請求の範囲】
【請求項１】
車両（５）と対象体との衝突確率を求める前記車両（５）の走行アシストシステムにおいて、
前記走行アシストシステムは、
車両（５）の周囲にある対象体を検出する複数のセンサと、
前記センサによって検出した前記対象体に対して、検出したちょうど２つの座標点（１１，１３）の各縦座標位置および横座標位置と、当該２つの座標点（１１，１３）の縦座標位置および横座標位置に１つずつ対応付けられた位置曖昧さ（１５）との組み合わせを検出する手段であって、前記２つの座標点（１１，１３）の座標系は、前記車両（５）の後車軸の中心点を原点とするデカルト座標系であって、前記座標系の横軸（７）は前記車両（５）の走行方向に沿って配向されており、かつ前記座標の縦軸（９）は前記横軸に対して垂直かつ前記後車軸に沿って配向されている、手段と、
前記２つの座標点（１１，１３）の縦座標位置および横座標位置と、前記各位置曖昧さ（１５）との組み合わせを表すデータを記憶するためのインタフェースと、
前記車両（５）が通過する走行パス（２３）を求める手段と、
前記位置曖昧さ（１５）を考慮して前記対象体と当該走行パス（２３）との重なり度を求める手段であって、前記重なり度から、前記データに基づいた、前記衝突確率を求める、手段と
を有しており、
前記車両（５）が通過する走行パス（２３）を求める手段は、前記座標点（１１，１３）と同じ座標系の平面上に配置された、前記車両（５）の走行パス（２３）を求めるものであり、
前記ちょうど２つの座標点（１１，１３）の縦座標位置および横座標位置と、各位置曖昧さ（１５）との前記組み合わせを検出する手段は、当該２つの座標点（１１，１３）の各座標点の周りのガウス分布（３７）として各前記位置曖昧さ（１５）を表し、前記位置曖昧さ（１５）は、前記センサによる、前記車両（５）の周囲にある対象体を検出する際の測定の不正確さを表す、
ことを特徴する走行アシストシステム。
【請求項２】
前記車両（５）が通過する走行パス（２３）を求める手段は、前記車両（５）の後車軸（３１）の中心点の軌跡である曲線（３）の外側にある、車両の前方の角（２７）の軌道と、前記曲線（３）の内側にありかつ前記後車軸（３１）の位置にある車両側面（２９）の軌道とによって前記走行パス（２３）の側方の境界部（２５）を定める、
請求項１に記載の走行アシストシステム。
【請求項３】
前記重なり度を求める手段は、前記対象体を表す２つの座標点（１１，１３）が前記走行パス（２３）の同じ側にある場合、前記重なり度を求めるために当該走行パス（２３）に近い方の前記対象体の座標点（１３）だけを使用する、
請求項１または２に記載の走行アシストシステム。
【請求項４】
前記重なり度を求める手段は、前記座標系の縦軸方向の前記重なり度を求めるため、前記対象体の座標点（１１，１３）の縦座標だけを考察する、請求項１から３までのいずれか１項に記載の走行アシストシステム。
【請求項５】
前記重なり度を求める手段は、前記対象体の２つの座標点（１１，１３）が前記走行パス（２３）の異なる側にあるか、または１つの座標点（１１，１３）が走行パス（２３）内にある場合、衝突確率を１００％とする、
請求項１から４までのいずれか１項に記載の走行アシストシステム。
【請求項６】
衝突確率が少なくとも３０％の場合、前記対象体の位置に到達する前に前記車両（５）を停止させる手段をさらに有する、
請求項１から５までのいずれか１項に記載の走行アシストシステム。
【発明の詳細な説明】
【技術分野】
【０００１】
従来の技術
本発明は、請求項１の上位概念に記載された車両の周囲状況を表する方法を出発点とする。さらに本発明は、車両と対象体とが衝突する確率を求める方法に関する。
【０００２】
車両の周囲状況を考慮する走行アシストシステムでは、例えば、駐車時に自動車のドライバをアシストするシステムでは、または前を走行する車両に対して十分に大きい間隔を維持するのに使用されるシステムでは、周囲状況を良好に検出する必要がある。周囲状況の検出は、例えば、駐車過程をアシストするシステムにおいて超音波センサによって行われる。殊に車両の周囲の比較的広い領域を観察しようとする場合にはレーダセンタまたはカメラも使用される。
【０００３】
ドライバを空き駐車スペースに誘導する駐車アシストシステムは、例えばDE-A 10 2004 047484から公知であり、またはEP-A 1 270 367からも公知である。このような駐車アシストシステムでは、まず通過走行中に空き駐車スペースが測定され、続いてドライバが指示によってこの空き駐車スペースに導かれる。ここでは空き駐車スペースへの誘導は受動的な形態で行うことができるか、または能動的な形態で行うこともでき、受動的な形態ではドライバに操舵角設定または発進命令または停止命令が通知されてドライバはこれを得るのであり、また能動的な形態では、発進設定および停止設定だけを受け取るが、操舵は、操舵アクチュエータを介して自動的に行われるのである。ここでは、使用される駐車アシストシステムにより、現在位置から出発してこの車両を空き駐車スペースに誘導できるか否かまたはそれがどのようにして可能になるかが決定され、また駐車過程に対する停止位置も決定される。
【０００４】
駐車中には一般的に車両のバンパに配置される間隔測定センサにより、周囲状況が監視される。検出すべき対象体との間隔はドライバに示すことができ、このドライバは周囲にある対象体との差し迫った衝突について警告される。上記の駐車アシストシステムにバックカメラが含まれている場合、ビデオカメラにより、車両の後ろ側領域についての情報もドライバに通知される。駐車過程時の加速度および減速度についての制御は、公知のシステムではドライバによって行われる。アクセルペダルの位置により、駐車速度が決定され、駐車過程の停止位置に到達する少し前にドライバに要求されるのは、この車両を制動して停止させることである。このようなシステムではドライバは、全駐車過程中いつでも、長手方向の誘導についてすなわち前進ないしは後退運動について全責任を負っている。このことにより、例えば、駐車中の予測されない状況において、例えば前には識別されなかった障害物が突然出現した場合、ドライバは自分で、この状況によって発生した未知の制動過程の責任を負うことになるのである。
【０００５】
駐車アシストシステムの最新の展開では、駆動部および／またはブレーキに自動的に介入することによって上記の長手方向の誘導も担当しようとしている。このようなシステムにおいて基本的に重要であるのは、車両と衝突し得る対象体を適時に検出して、自動的に導入される制動過程により、差し迫った衝突を阻止することである。
【０００６】
発明の開示
発明の利点
車両の周囲にある対象体をセンサによって検出する、本発明による車両の周囲状況を表す方法では、それぞれ検出した対象体を２つの座標点と、各座標点に割り当てられている位置曖昧さとによって表す。ここでこれらの座標点および位置曖昧さをデータとしてインタフェースに記憶し、このインタフェースには車両の走行アシストシステムによってアクセスすることができる。本発明による方法の利点は、上記の求めたデータは一度だけ検出すればよく、また殊に車両に存在する走行アシストシステムによって使用可能である。上記のデータを走行アシストシステムによって使用できるようにするため、一般的な対象体インタフェースが必要であり、この対象体インタフェースによって対象体の特性が表される。走行アシストシステムにとって殊に重要であるのは、車両の周りの、対象体がない空き領域を識別することである。ふつう対象体の正確な形状についての知識は不要である。このような理由からふつう十分であるのは、１つの線分によって接続することの可能な２つの点によって１つの対象体を表すことである。この場合、２つの点によってマーキングされる線分は、対象体によって定められる、上記の空き領域の境界を表すのである。
【０００７】
上記の求めたデータを走行アシストシステムで使用できるようにするため、有利であるのはさらに、上記の検出した対象体が点状であるか否か、または上記の座標点によって線分がマーキングされるか否かを、別の要素として上記のインタフェースに記憶することである。上記の座標点によって線分がマーキングされる場合にさらに有利であるのは、上記の点がそれぞれ線分の実際の端点を表すか否か、ひいては検出した対象体のコーナ点を表すか否かを付加的に定義する場合である。
【０００８】
一般的には２次元的な表現で十分であり、かつ対象体の高さは、走行アシストシステムにおける使用については機能しないため、有利には上記の点を２次元のデカルト座標系で表す。このデカルト座標系の原点として、例えば後車軸の中心点を使用する。しかしながら車両を基準にして明瞭に定義される別の任意の点を上記の座標系の原点として使用することも可能である。上記のデカルト座標系の横軸および縦軸はふつう互いに直角に配置される。上記の横軸は、任意の方向を向くことができる。しかしながら上記の横軸が走行方向に配向されると有利である。上記の座標系の原点として後車軸の中心点を使用する場合、縦軸は、後車軸に沿った横軸に対して垂直方向に配向される。
【０００９】
上記のインタフェースを介して対象体を識別できるようにするため、有利にはつぎのデータをこのインタフェースに記憶する。すなわち、
−  対象体の識別番号
−  対象体の第１点の横座標位置
−  第１点の縦座標位置
−  第１点の横座標位置の曖昧さ
−  第１点の縦座標位置の曖昧さ
−  対象体の第２点の横座標位置
−  第２点の縦座標位置
−  第２点の縦座標位置の曖昧さ
−  第２点の縦座標位置の曖昧さ
−  対象体のタイプ定義
【００１０】
上記の対象体のタイプ定義として指定されるのは、対象体が点状の対象体であるか、または車両周囲における線分の境界になっている対象体であるか否かである。タイプ定義として付加的に指定できるのは、対象体が、有効でない対象体であるか否かである。この対象体が点状である場合、第１点の座標と、第２点の座標とは同じである。これは、例えば円いポールの場合である。
【００１１】
座標の異なる２つの点が検出されるが、この対象体の実際のサイズが識別されない場合、第１点および第２点により、検出された線分が表されるが、これらの点は、この対象体のコーナ点を示さない。すなわちこの対象体は、上記の線分に沿って上記の点を超えて延び得るのである。発生し得る別の１つのタイプでは、対象体の一方の端部だけが検出される。この対象体の検出した端部は、第１点によって定義される。第２点により、検出した線分の端部が表され、この対象体は、第２点を超えてさらに延び得るのである。別の対象体タイプとして、この対象体の実際のサイズを検出する。これらの対象体端部は、第１点および第２点によって表される。上記の対象体タイプを指定することにより、上記のインタフェースのデータを使用する走行アシストシステムに通知されるのは、対象体の実際の長さまたは幅がどの程度検出されたか、またはこの対象体が、検出した点を超えて延びることができるか否かである。
【００１２】
車両と対象物との衝突確率を求める本発明による方法にはつぎのステップが含まれている。すなわち、
（ａ）  車両の周囲を表すステップと
（ｂ）  上記の車両が通過するチューブ状走行パス（Fahrschlauch）を求めるステップと、
（ｃ）  位置曖昧さを考慮して上記の対象体とチューブ状走行パスとの重なり度を求め、ひいては上記の衝突確率を求めるステップとを有する。
【００１３】
上記の車両の周囲状況を表すため、この車両の周囲にある対象体をセンサによって検出してそれぞれ検出した対象体を２つの座標点と、各座標点に割り当てられている位置曖昧さとによって表す。ここでこれらの座標点および位置曖昧さをデータとしてインタフェースに記憶し、このインタフェースには車両の走行アシストシステムがアクセスすることができる。
【００１４】
上記の衝突確率を求めることによって可能になるのは、走行アシストシステムが、例えば駐車過程を支援するための走行アシストシステムが、衝突の危険がある場合に自動でこの車両を停止させることである。これにより、駐車アシストシステムにより、この車両を自律的に誘導することができる。
【００１５】
駐車アシストシステムにおける使用の他に、例えば、自動車のドライバ用にインテリジェントな車両ディスプレイを実現することができる。これは、例えば検出した対象体と、可能な走行コースとをディスプレイにおいて鳥瞰図でドライバに表示し、潜在的な衝突状況をカラーで強調することによって行われる。さらに例えば、操車過程中に側方を保護することも考えられ、ここでこれは、検出した周囲対象体を追跡することにより、ドライバに警告を伝えることによって行われる。これが行われるのは、センサシステムの視野外にある対象体と、車両とが衝突しそうな場合であり、これは、例えばコーナを回ってタイトすぎる操車を行う場合に起こり得る。
【００１６】
上記のインタフェースに記憶される上で説明したデータの他に（殊に駐車アシストシステムを使用する際に）有利であるのはさらに、上記の検出した対象体の運動状態を付加的に上記のインタフェースに記憶する場合である。上記の対象体の運動状態を記憶することにより、例えば、車両の運動を考慮して、考えられる衝突時点を予測することができ、ひいてはドライバに適時に警告を出力することができる。完全自動システムでは上記の車両を適時に停止させることも可能である。上記の対象体が横切るか対象体を離れ、したがってこの運動によって上記のチューブ状走行パスから再び遠ざかる場合、不要な警告をストップさせることができる。
【００１７】
上記のチューブ状走行パスの側方の境界部は、すなわち、通過時に車両によってカバーされる領域の側方の境界部はふつう、曲線外側の前方の車両コーナのパスと、後車軸の高さにおける曲線内側の車両側面の軌道とによって決定される。これらの点は、車両が通過する面の最も外側の境界部を形成するため、これらの点が、上記のチューブ状走行パスの境界を定めるために使用される場合、車両の運動中、この車両の領域が、チューブ状走行パスの外に出ることはないのである。
【００１８】
座標点の位置曖昧さは有利には、この座標点を中心としたガウス分布によって表される。このガウス分布の最大値は、この座標点上の高さ位置にある。位置曖昧さを求めるために上記のようなガウス分布を仮定することにより、例えば、座標点を検出する際の測定精度を考慮する。
【００１９】
上記の対象体を表す２つの座標点が、チューブ状走行パスの同じ側にある場合、このチューブ状走行パスに近い方の対象体の座標点だけを使用して重なり度を決定するので十分である。これによって計算時間を節約することができ、衝突確率を高速に求めることができる。上記のチューブ状走行パスに近い方の座標点を使用するだけで十分である。それは、このチューブ状走行パスからの距離が増大するのに伴って衝突確率が小さくなるからである。またチューブ状走行パスに近い方の座標点は、チューブ状走行パスに対して最も密接した、対象体の点を表すのである。
【００２０】
さらに上記の計算時間を低減し、ひいては衝突確率を一層簡単に求められるようにするために十分であるのは、上記の対象体の座標点の縦座標だけを考察して上記の重なり度合いを求めることである。縦座標だけを使用することの利点は、交わる面を求める必要がなく、チューブ状走行パスの縁部に交わる位置曖昧さの部分だけを縦軸方向に求めればよいことである。
【００２１】
上記の対象体の座標点が、チューブ状走行パスの異なる側にあるか、または１つの座標点がチューブ状走行パス内にある場合、１００％の衝突確率を仮定する。この１００％の衝突確率は仮定できるのは、座標点の位置が異なる側にある場合にはこれらの座標点によって表される対象体は、チューブ状走行パスを横断するように位置しているからである。ただ１つの座標点だけが上記のチューブ状走行パス内にある場合であっても、この対象体の少なくとも１部分はチューブ状走行パス内にあるため、車両が制動されずに走行すれば、確実に衝突に至る。
【００２２】
２つの座標点がチューブ状走行パス外にあるが、位置曖昧さとの交わりが検出された場合、有利には衝突確率が少なくとも３０％の場合、対象体の位置に到達するこの車両を停止させる。
【００２３】
上記の衝突確率は、例えば、チューブ状走行パス内における位置曖昧さのｙ成分と、ｙ方向の位置曖昧さ全体とを関連させることによって求めることができる。この場合にこのようにして商を求めることによって上記の衝突確率が得られる。
【００２４】
ここでは基本的に、上記の座標点がチューブ状走行パス外の一方の側にある場合には衝突確率が５０％以下であり、また座標点のうちの１つがチューブ状走行パス内にある場合には衝突確率が５０％以上であるとすることができる。
【図面の簡単な説明】
【００２５】
【図１】複数の軌道計画点から構成される、対象体を迂回するためのコース軌跡を示す図である。
【図２】先行して行われた軌道計画のない走行軌跡を示す図である。
【図３】チューブ状走行パスと、２つの座標点によって特徴付けられる対象体とを示す図である。
【図４】縦軸方向における座標点の位置曖昧さと、チューブ状走行パスとの交わりを示す略図である。
【図５】チューブ状走行パス内にこれを横切る対象体を有するチューブ状走行パスを示す図である。
【００２６】
本発明の実施例を図示し、以下に詳細に説明する。
【００２７】
本発明の実施例
図１には、複数の軌道計画点から構成される、対象体を迂回するためのコース軌跡が示されている。
【００２８】
複数の軌道計画点１から構成されるコース軌跡３は、例えば誘導式の駐車過程に使用され、この駐車過程の前に、相応する軌道計画が行われる。このためにまず適当な空き駐車スペースが測定され、このように測定したデータから、上記の軌道計画点１を介してコース軌跡３が計算される。コース軌跡３はふつう軌道であり、後車軸の中心点がこの軌道を通る。コース軌跡３を特徴付ける軌道計画点１は、例えば、等間隔でコース軌跡３に配置することができる。しかしながら択一的には、軌道計画点１の間隔が、コース軌跡３の軌道の湾曲に依存することも可能である。例えば、１つの領域において軌道の湾曲が大きければ大きいほど、軌道計画点１の間隔はそれだけ小さくなる。個々の軌道計画点１は、線分によって互いに接続することができる。しかしながら択一的には、複数のコルニュ螺旋区分により、上記の軌道計画点をコース軌跡３にまとめることも可能である。コルニュ螺旋区分を使用することの利点は、個々の軌道計画点１において折り曲がり点が発生せず、滑らかな曲線が形成されることである。線分によって軌道計画点を接続するこの利点は、コルニュ螺旋区分を使用するのに比べて計算が容易になることである。個々の軌道計画点１は、デカルト座標系における座標によって表される。この座標系は、有利には図１に示したように、この座標系の原点が車両５の後車軸の中心点になるように位置合わせされる。この座標系において横軸７を文字ｘで、また縦軸９を文字ｙで示す。
【００２９】
周囲状況を識別するため、ここに図示していない複数のセンサが車両５に取り付けられている。これらのセンサにより、車両の周囲状況を検出することができる。ふつうこれらのセンサは、車両５の前方および後方のバンパに配置される。使用されるセンサはふつう、例えば超音波センサまたはレーダセンサである。例えば、カメラを使用して対象体を検出することも可能である。これらのセンサによって対象体が検出されると、この対象体は、第１座標点１１と第２座標点１３とによって表される。場合によっては発生する測定の不正確さは、図１において各座標点１１，１３の周りの矩形によって示した位置曖昧さ１５を指定することによって表される。第１座標点１１と第２座標点１３とを互いに接続する線分１７は、検出される対象体に得られる境界線を表している。この対象体の正確な幾何学形状を求めることはない。第１座標点１１と第２座標点１３とが両端をなしている線分１７は、識別される対象体と車両５との最も近い境界を表している。
【００３０】
本発明では、第１座標点１１と、第２座標点１３と、これらの座標点１１および１３に対する位置曖昧さ１５とをインタフェースに記憶する。このインタフェースには、車両アシスタンスシステムがアクセスすることができる。これにより、例えば図１に示した、上記の検出した対象体を迂回するコース軌跡３を計算することができる。駐車アシストシステムの他に、この車両に設けられている別の任意のアシストシステムにも上記のデータを供給することが可能である。これにより、車両アシストシステム毎に別個の測定を実行する必要はなくなり、すべての車両アシストシステムは、一回だけ求めたデータにアクセスすることができる。
【００３１】
図２には、軌道計画が行われる前の走行軌跡が示されている。相応の車両アシストシステムによってコース軌跡３を計算して所定の目標に到達する図１とは異なり、軌道計画がない場合、例えば相応する駐車アシストシステムを使用せずにドライバが自分で空き駐車スペースに駐車する場合、走行軌跡は、例えば、実際の車両運動状態によって求められる。したがってコース軌跡３として、例えば、実際のステアリングアングルによって得られる目下走行中の円軌道１９を使用する。この際に円軌道１９は、中心点２１の周りに引かれる。中心点２１は、車両５の後車軸の高さにある。
【００３２】
図３にはチューブ状走行パスと、２つの座標点によって特徴付けられる対象体とが示されている。
【００３３】
車両５と対象体との衝突は、この対象体がコース軌跡３上にある場合だけではなく、この対象体の複数の部分が、車両５の通過時にカバーされるチューブ状走行パス２３にある場合にも発生する。チューブ状走行パス２３の側方の境界部２５は、曲線外側の車の前方コーナ２７の軌道と、後車軸３１上の曲線内側の車両側面２９とによって得られる。
【００３４】
ここでは所定の対象体に対する衝突確率の尺度として、対象体位置とチューブ状走行パス２３との、位置曖昧さを考慮した重なり度を使用することができる。位置曖昧さ１５は、各座標点１１，１３に対する横軸方向における線分３３と、縦軸方向における線分３５とによって示される。位置曖昧さ１５を表す横軸方向３３ないしは縦軸方向３５における線分の長さは、たとえは、車両に対する点の位置に依存している。
【００３５】
対象体と、チューブ状走行パス２３との距離が小さくなるのに伴って上記の衝突確率は増大するため、この衝突確率を求めるためには、チューブ状走行パス２３に対してないしはコース軌跡３に対して間隔が小さい方の座標点１３だけをベースにすれば十分である。図４には、チューブ状走行パス２３と、縦軸方向における座標点の位置曖昧さと交わりが略図されている。図４に示した座標点は、コース軌跡３に近い方の座標点をマーキングする図２の第２座標点１３に相応する。チューブ状走行パス２３の側方境界部２５は、図４においても破線によって示されている。
【００３６】
衝突確率を求めるために縦軸方向における重なり度だけを求める場合、さらなる簡略化が可能である。この場合、交わった面を求めるのではなく、チューブ状走行パス２３の側方境界部２５と交わる、縦軸方向の位置曖昧さの部分を求める。ここでこの部分は線分３５によって示されている。この位置曖昧さは、ガウス分布３７の形状とすることができる。ガウス分布３７の最大値は、座標点１３の高さによって得られる。座標点１３から遠ざかるのにつれてガウス分布３７の値は減少する。上記の衝突確率を計算する際にこのことが意味するのは、座標点１３からチューブ状走行パス２３が遠ざかるのにつれて衝突確率も同様に減少することである。
【００３７】
座標点１３がチューブ状走行パス２３の外側にある場合、ガウス分布状の位置曖昧さを考慮すると、衝突確率は５０％以下になり、また座標点１３の位置がチューブ状走行パス内にある場合には衝突確率は５０％以上になる。
【００３８】
図５には特殊なケースが示されている。ここでは対象体は、チューブ状走行パス内でこれを横切っており、座標点はそれぞれチューブ状走行パスの別々の側にある。
【００３９】
この場合に衝突確率を求めるために可能であるのは、２つの座標点１１，１３の位置曖昧さを評価することである。位置曖昧さ１５はここでもガウス分布３７とする。関連する尺度として求めることができるのは、どのような確率で第２座標点１３が、第１座標点１１とは反対側のチューブ状走行パス２３の半部の外側にあり得るかである。
【００４０】
第１座標点１１と第２座標点１３とが、チューブ状走行パスの反対側にある場合について一般的に前提とすることができるのは、座標点１１，１３によって特徴付けられる対象体がチューブ状走行パス２３を横切っているため、上記の衝突確率が１００％になると仮定することができる。
【図１】
0005850839.tif 000002
【図２】
0005850839.tif 000003
【図３】
0005850839.tif 000004
【図４】
0005850839.tif 000005
【図５】
0005850839.tif 000006